【手続補正書】
【提出日】平成17年8月4日(2005.8.4)
【手続補正１】
【補正対象書類名】明細書
【補正対象項目名】請求項１１
【補正方法】変更
【補正の内容】
【請求項１１】
前記周辺回路は、
前記複数のメモリブロックにそれぞれ対応して設けられ、対応するメモリブロックからの前記読出データを伝達するための複数の読出バスと、
前記複数のメモリブロックにそれぞれ対応して設けられ、対応するメモリブロックへの前記書込データを伝達するための複数の書込バスと、
前記書込アドレスに応じて、前記第１のポートから前記複数の書込バスへ前記書込データを選択的に伝達する第１のセレクタと、
前記読出アドレスに応じて、前記複数の読出バスから前記第２のポートへ前記読出データを選択的に伝達する第２のセレクタとを含み、
前記転送回路は、前記読出アドレスおよび前記書込アドレスの一方に基づいて選択された２つのメモリブロック間でデータを伝達するための転送バスを有する、請求項１０に記載の薄膜磁性体記憶装置。
【手続補正２】
【補正対象書類名】明細書
【補正対象項目名】００４０
【補正方法】変更
【補正の内容】
【００４０】
好ましくは、周辺回路は、複数のメモリブロックにそれぞれ対応して設けられ、対応するメモリブロックからの読出データを伝達するための複数の読出バスと、複数のメモリブロックにそれぞれ対応して設けられ、対応するメモリブロックへの書込データを伝達するための複数の書込バスと、書込アドレスに応じて、第１のポートから複数の書込バスへ書込データを選択的に伝達する第１のセレクタと、読出アドレスに応じて、複数の読出バスから第２のポートへ読出データを選択的に伝達する第２のセレクタとを含み、転送回路は、読出アドレスおよび書込アドレスの一方に基づいて選択された２つのメモリブロック間でデータを伝達するための転送バスを有する。
【手続補正３】
【補正対象書類名】明細書
【補正対象項目名】００６４
【補正方法】変更
【補正の内容】
【００６４】
ビット線ドライバ３０ａは、対応するメモリセル列の書込制御信号ＷＴａ０およびＷＴａ１に応じて、対応するビット線ＢＬの一端側を電源電圧Ｖｃｃおよび接地電圧ＧＮＤの一方で駆動する。同様に、ビット線ドライバ３０ｂは、対応するメモリセル列の書込制御信号ＷＴｂ０およびＷＴｂ１により、対応するビット線ＢＬの他端側を電源電圧Ｖｃｃおよび接地電圧ＧＮＤの一方で駆動する。
【手続補正４】
【補正対象書類名】明細書
【補正対象項目名】０１０１
【補正方法】変更
【補正の内容】
【０１０１】
一方、メモリセルＭＣ♯ａに対応するビット線ＢＬ♯１は、対応するビット線ドライバ３０ａ，３０ｂによって、入力データＩＤ（４）に応じた方向のデータ書込電流の供給を受ける。この結果、ビット線ＢＬ♯１上のデータ書込電流の方向に応じて、メモリセルＭＣ♯ａにデータＩＤ（４）が書込まれる。
【手続補正５】
【補正対象書類名】明細書
【補正対象項目名】０１４６
【補正方法】変更
【補正の内容】
【０１４６】
サイクル１６４においては、読出先および書込先にそれぞれ対応するワード線ＷＬ♯２およびライトディジット線ＷＤＬ♯１が活性化される。さらに、読出先に対応するリードビット線ＲＢＬ♯２を通過する読出電流Ｉｓに基づいて読出先であるメモリセルＭＣ♯ａの記憶データがデータＯＤ（２）として読出され、次のクロック活性化エッジである時刻Ｔ３に出力データＤＯＵＴとして出力可能となる。さらに、書込先に対応するライトビット線ＷＢＬ♯１に、書込データに応じたデータ書込電流が供給されて、メモリセルＭＣ♯ｃへデータＩＤ（４）が書込まれる。
【手続補正６】
【補正対象書類名】明細書
【補正対象項目名】０１５９
【補正方法】変更
【補正の内容】
【０１５９】
さらに、実施の形態３に従うＭＲＡＭデバイス１０３に対しては、バンクＢＫ＜Ａ＞，ＢＫ＜Ｂ＞の一方に対応する読出データまたは書込データを、他方のバンクに書込むための転送コマンドが入力される。以下に詳細に説明するように、転送コマンドにおける転送元および転送先のバンクは、読出アドレスＡＤＤｒによって示される読出バンクアドレスおよび書込アドレスＡＤＤｗによって示される書込バンクアドレスのいずれかに基づいて、ＭＲＡＭデバイス内部で指定される。すなわち、転送コマンドに対応するバンクアドレスを入力するポートが削減されている。
【手続補正７】
【補正対象書類名】明細書
【補正対象項目名】０１７７
【補正方法】変更
【補正の内容】
【０１７７】
したがって、ライトコマンド制御回路４２０は、バンクＢＫ＜Ａ＞を対象とするライトコマンド入力時にバンク制御信号ＷＲＴ＜Ａ＞をＨレベルに活性化し、バンクＢＫ＜Ｂ＞を対象とするライトコマンド入力時にバンク制御信号ＷＲＴ＜Ｂ＞をＨレベルに活性化する。対応するバンクを対象とするライトコマンドが入力されていない時には、バンク制御信号ＷＲＴ＜Ａ＞，ＷＲＴ＜Ｂ＞は、Ｌレベルへ非活性化される。
【手続補正８】
【補正対象書類名】明細書
【補正対象項目名】０１８６
【補正方法】変更
【補正の内容】
【０１８６】
このように、読出バンクアドレスおよび書込バンクアドレスの一方を用いて設定された転送バンクアドレスＴＢＡに基づいて、転送コマンド入力時には、転送元および転送先を示すバンク制御信号群が生成される。一方、転送コマンドが生成されない場合には、転送アドレス設定回路４６０は、これらのバンク制御信号の生成を停止する。すなわち、バンク制御信号ＳＲＣ＜Ａ＞，ＳＲＣ＜Ｂ＞，ＤＳＴ＜Ａ＞，ＤＳＴ＜Ｂ＞の各々は、Ｌレベルへ非活性化される。
【手続補正９】
【補正対象書類名】明細書
【補正対象項目名】０２０５
【補正方法】変更
【補正の内容】
【０２０５】
図２０を参照して、たとえばバンクＢＫ＜Ｂ＞に対応するメモリブロック２００ｃおよび２００ｄからの読出データは、読出選択回路２１０ｃおよび２１０ｄから転送スイッチ２６０ｃおよび２６０ｄをそれぞれ介して転送データバス２５１および２５２に伝達される。転送データバス２５１および２５２に伝達されたデータは、転送スイッチ２６５ａおよび２６５ｂによって書込選択回路２２０ａおよび２２０ｂに伝達される。既に説明したように、転送コマンドのみの入力時には、読出ポート２に入力した読出アドレスＡＤＤｒを用いて、転送元および転送先のバンクを指定するバンク制御信号が生成される。
【手続補正１０】
【補正対象書類名】図面
【補正対象項目名】図１
【補正方法】変更
【補正の内容】
【図１】
2004086952.tif 000001
【手続補正１１】
【補正対象書類名】図面
【補正対象項目名】図６
【補正方法】変更
【補正の内容】
【図６】
2004086952.tif 000002
【手続補正１２】
【補正対象書類名】図面
【補正対象項目名】図１０
【補正方法】変更
【補正の内容】
【図１０】
2004086952.tif 000003
【手続補正１３】
【補正対象書類名】図面
【補正対象項目名】図１１
【補正方法】変更
【補正の内容】
【図１１】
2004086952.tif 000004
【手続補正１４】
【補正対象書類名】図面
【補正対象項目名】図１３
【補正方法】変更
【補正の内容】
【図１３】
2004086952.tif 000005
【手続補正１５】
【補正対象書類名】図面
【補正対象項目名】図１７
【補正方法】変更
【補正の内容】
【図１７】
2004086952.tif 000006
【手続補正１６】
【補正対象書類名】図面
【補正対象項目名】図１８
【補正方法】変更
【補正の内容】
【図１８】
2004086952.tif 000007
【手続補正１７】
【補正対象書類名】図面
【補正対象項目名】図１９
【補正方法】変更
【補正の内容】
【図１９】
2004086952.tif 000008
【手続補正１８】
【補正対象書類名】図面
【補正対象項目名】図２０
【補正方法】変更
【補正の内容】
【図２０】
2004086952.tif 000009
【手続補正１９】
【補正対象書類名】図面
【補正対象項目名】図２５
【補正方法】変更
【補正の内容】
【図２５】
2004086952.tif 000010